(57)【要約】【課題】無線通信基板と表示基板とが近づけて配置されても、無線通信基板の通信性能の低下を抑制できる、画像形成装置を提供する。【解決手段】筐体１１の第１フレーム１４は、第２フレームに対して左側に間隔を空けて配置されている。第１フレーム１４と第２フレームとの間には、シートに画像を形成する画像形成部が配置されている。第１フレーム１４と第１フレーム１４の上端面を覆うトップカバーとに挟まれる位置に、パネル基板３１、ＮＦＣ基板３２および中継基板３３が配置されている。中継基板３３は、ＮＦＣ基板３２とパネル基板３１とに挟まれる位置に配置されている。【選択図】図２
2018194661.tif 000002
【特許請求の範囲】
【請求項１】
第１フレーム、前記第１フレームと左右方向に間隔を空けて配置される第２フレーム、および前記第１フレームの上面を覆うカバーを備える筐体と、
前記第１フレームと前記第２フレームとの間に挟まれる位置に配置され、シートに画像を形成する画像形成部と、
中継基板と、
電波を送受信するアンテナが設けられた無線通信基板と、
情報を表示するための電子部品が設けられた表示基板と、を備え、
前記中継基板、前記無線通信基板および前記表示基板は、前記第１フレームの上面であって、前記カバーに覆われる位置に配置され、
前記中継基板は、前記無線通信基板と前記表示基板とに挟まれる位置に配置されている、
画像形成装置。
【請求項２】
請求項１に記載の画像形成装置であって、
前記中継基板は、前記第１フレームに取り付けられており、
前記無線通信基板および前記表示基板は、前記カバーに取り付けられている、
画像形成装置。
【請求項３】
請求項１または２に記載の画像形成装置であって、
前記中継基板は、絶縁性の基体上に実装部品が配置された構成を有し、
前記実装部品には、ノイズ源となる電子部品が含まれない、
画像形成装置。
【請求項４】
請求項１〜３のいずれか一項に記載の画像形成装置であって、
前記中継基板は、前記第１フレームの上端面に取り付けられており、
前記第１フレームに対して左右方向の外側に配置され、前記第１フレームの側面を覆う側板と、
前記第１フレームの前記側面と前記側板との間から前記第１フレームの前記上端面に回り込み、前記中継基板に設けられた端子に接続されるビニル絶縁電線と、
前記第１フレームの前記側面に設けられ、前記ビニル絶縁電線の途中部分を保持する電線保持部とをさらに備える、
画像形成装置。
【請求項５】
請求項１に記載の画像形成装置であって、
前記画像形成部は、前記シートを後側から前側に向かう向きで前記筐体外に排出し、
前記中継基板は、前記第１フレームの上面に取り付けられており、
前記無線通信基板および前記表示基板は、前記カバーに取り付けられており、
前記カバーを前記第１フレームの上面に取り付けた場合に、
前記無線通信基板は、前記中継基板の後側に配置され、
前記表示基板は、前記中継基板の前側に配置される、
画像形成装置。
【発明の詳細な説明】
【技術分野】
【０００１】
本発明は、プリンタなどの画像形成装置に関する。
【背景技術】
【０００２】
従来、ＮＦＣ（Near Field Communication）による無線通信のためのＮＦＣ基板を備える画像形成装置が知られている。
【０００３】
ＮＦＣ基板には、電波を送受信するアンテナが設けられている。そのため、ＮＦＣ基板がノイズ源となる部品に近づけて配置されると、その部品からのノイズによりＮＦＣの通信性能が低下する。そこで、ＮＦＣ基板をノイズ源となる電源からＮＦＣによる通信距離以上離れた位置に配置することが提案されている（たとえば、特許文献１参照）。
【先行技術文献】
【特許文献】
【０００４】
【特許文献１】特開２０１４−９６７１７号公報
【発明の概要】
【発明が解決しようとする課題】
【０００５】
しかし、小型化が図られた画像形成装置では、ＮＦＣ基板を電源から離して配置できても、ＬＥＤ（Light Emitting Diode）を実装した表示基板からＮＦＣ基板を十分に離して配置するスペースがないという問題がある。
【０００６】
本発明の目的は、無線通信基板と表示基板とが近づけて配置されても、無線通信基板の通信性能の低下を抑制できる、画像形成装置を提供することである。
【課題を解決するための手段】
【０００７】
前記の目的を達成するため、本発明に係る画像形成装置は、第１フレーム、第１フレームと左右方向に間隔を空けて配置される第２フレーム、および第１フレームの上面を覆うカバーを備える筐体と、第１フレームと第２フレームとの間に挟まれる位置に配置され、シートに画像を形成する画像形成部と、中継基板と、電波を送受信するアンテナが設けられた無線通信基板と、情報を表示するための電子部品が設けられた表示基板と、を備え、中継基板、無線通信基板および表示基板は、第１フレームの上面であって、カバーに覆われる位置に配置され、中継基板は、無線通信基板と表示基板とに挟まれる位置に配置されている。
【０００８】
この構成によれば、筐体の第１フレームおよび第２フレームは、互いに間隔を空けて配置されている。第１フレームと第２フレームとの間には、シートに画像を形成する画像形成部が配置されている。
【０００９】
第１フレームと第１フレームの上面を覆うカバーとに挟まれる位置に、中継基板、無線通信基板および表示基板が配置されている。そして、中継基板は、無線通信基板と表示基板とに挟まれる位置に配置されている。そのため、無線通信基板と表示基板とが近づけて配置されても、表示基板に設けられた電子部品から発生するノイズが中継基板に遮られ、ノイズが無線通信基板に設けられたアンテナに達することを抑制でき、無線通信基板による無線通信がノイズの影響を受けることを抑制できる。よって、無線通信基板と表示基板とが近づけて配置されることによる無線通信基板の通信性能の低下を抑制できる。
【発明の効果】
【００１０】
本発明によれば、無線通信基板と表示基板とが近づけて配置されても、無線通信基板の通信性能の低下を抑制することができる。
【図面の簡単な説明】
【００１１】
【図１】本発明の一実施形態に係るプリンタの斜視図である。
【図２】プリンタの筐体の一部（第１フレームおよびその近傍）を示す平面図であり、パネル基板およびＮＦＣ基板をともに示す。
【図３】第１フレームの左側面図である。
【図４】トップカバーの内面を示す斜視図である。
【図５】トップカバーの内面の左前端部を示す斜視図である。
【図６】筐体の左後端部を示す斜視図である。
【発明を実施するための形態】
【００１２】
以下では、本発明の実施の形態について、添付図面を参照しつつ詳細に説明する。
【００１３】
＜プリンタの全体構成＞
図１に示されるプリンタ１（画像形成装置の一例）は、モノクロのレーザプリンタである。
【００１４】
プリンタ１の外殻をなす筐体１１は、略直方体形状をなし、筐体１１の幅方向に互いに間隔を空けて対向する第１側板１２（側板の一例）および第２側板１３を備えている。プリンタ１が水平面に設置された状態で、第１側板１２および第２側板１３は、それぞれ水平面に対してほぼ垂直に立ち上がる。
【００１５】
なお、以下の説明で使用するため、第１側板１２および第２側板１３がそれぞれ左側および右側となるようにプリンタ１を見て、プリンタ１に対する手前側をプリンタ１の前側と規定し、プリンタ１に対する奥側をプリンタ１の後側と規定する。筐体１１の幅方向は、プリンタ１の左右方向と一致する。
【００１６】
筐体１１は、第１側板１２および第２側板１３に対する左右方向の内側に、それぞれ樹脂製の第１フレーム１４および第２フレーム１５を備えている。第１フレーム１４と第２フレーム１５とは、左右方向に間隔を空けて対向している。第１側板１２は、第１フレーム１４に左側から当接している。第２側板１３は、第２フレーム１５に右側から当接している。
【００１７】
筐体１１の底部には、給紙トレイ１６が抜き差し可能に設けられている。言い換えれば、第１フレーム１４と第２フレーム１５とに挟まれる空間の下部には、給紙トレイ１６の装着位置が設定されており、給紙トレイ１６は、その装着位置から前方に引出可能に装着位置に装着されている。給紙トレイ１６は、複数枚のプリント用紙などのシートを積み重なった状態で支持可能に構成されている。
【００１８】
装着位置に装着された給紙トレイ１６の前端部の上側には、フロントカバー１７が設けられている。フロントカバー１７は、前側に倒伏して、第１フレーム１４と第２フレーム１５との間の空間を前方に開放する開位置と、第１側板１２と第２側板１３とに跨がり、第１フレーム１４および第２フレーム１５の各前端面の上部および各上端面の前部を覆う閉位置とに開閉可能に、第１フレーム１４および第２フレーム１５に支持されている。
【００１９】
筐体１１は、樹脂製のトップカバー１８をさらに備えている。トップカバー１８は、第１側板１２と第２側板１３とに跨がり、第１フレーム１４および第２フレーム１５の各上端面を覆っている。トップカバー１８の左右方向の中央部かつ後寄りの位置には、下側に凹む凹部２１が形成されている。凹部２１は、平面視矩形状をなし、その底面２２は、後方に向かうにつれて下方に傾斜する傾斜面に形成されている。底面２２は、トップカバー１８の上面における凹部２１より前側の部分および閉位置に位置するフロントカバー１７の上面とともに、排紙トレイ２３を構成している。
【００２０】
第１側板１２と第２側板１３との間であって、装着位置に装着された給紙トレイ１６とトップカバー１８との間には、画像形成部２４が設けられている。画像形成部２４により、給紙トレイ１６から排紙トレイ２３に至る左側面視略Ｓ字状の搬送路をシートが搬送されつつ、その搬送の途中でシートに画像が形成される。画像形成済みのシートは、凹部２１の底面２２の後端縁とその上方に位置する凹部２１の後上端縁との間を通して後側から前側に向けて排出され、排紙トレイ２３に受け取られる。
【００２１】
また、トップカバー１８の上面には、排紙トレイ２３の左側において、操作表示部２５およびＮＦＣ部２６が前後に並べて設けられている。操作表示部２５とＮＦＣ部２６との間には、前後方向に間隔が空けられている。
【００２２】
操作表示部２５は、各種の指示などを入力するための複数の操作ボタン２７および各種の情報を表示するための複数の表示器２８を備えている。
【００２３】
ＮＦＣ部２６は、ＮＦＣ（Near Field Communication）による無線通信の対象である非接触型のＩＣカードがかざされる部分である。ＮＦＣは、国際規格であるＩＳＯ／ＩＥＣ１４４４３、ＩＳＯ／ＩＥＣ１８０９２などに対応する無線通信技術であり、１３．５６ＭＨｚ帯の通信周波数を利用する。ＮＦＣ部２６にＩＣカードがかざされる（近づけられる）と、電磁誘導によりＩＣカードに動作電力が供給されて、ＮＦＣ部２６とＩＣカードとの間でキャリアの変調による通信が行われる。
【００２４】
＜基板＞
第１フレーム１４とトップカバー１８との間には、図２に示されるように、パネル基板３１（表示基板の一例）、ＮＦＣ基板３２（無線通信基板の一例）および中継基板３３が設けられている。また、第１フレーム１４の左側面には、図３に示されるように、メイン基板３４（制御基板の一例）が取り付けられている。
【００２５】
＜パネル基板＞
パネル基板３１は、操作表示部２５（図１参照）と上下に重なる位置に配置されている。パネル基板３１は、プリント配線板４１と、プリント配線板４１の一方面に実装された複数の電子部品４２とを備えている。
【００２６】
プリント配線板４１は、絶縁性樹脂からなる基板の表面または内部に導電体からなる配線が形成された部品である。プリント配線板４１は、電子部品４２が実装された一方面をトップカバー１８に向けて、前後方向および左右方向に延びるように、トップカバー１８の裏面（内面）に取り付けられている。
【００２７】
具体的には、トップカバー１８の裏面の左前端部には、図４に示されるように、パネル基板３１の取付位置が設定されており、その取付位置の周囲には、複数の挟持爪４３が設けられている。各挟持爪４３は、トップカバー１８と一体に形成され、図５に示されるように、トップカバー１８の裏面からその裏面に対して垂直に延び、先端部に取付位置側に突出する楔状（延出方向に先細りとなる略三角柱状）の係合部４４を有している。また、取付位置には、トップカバー１８の裏面から垂直に延びる柱状のボス４５が設けられている。
【００２８】
パネル基板３１がトップカバー１８に取り付けられる際には、プリント配線板４１の一方面がトップカバー１８側に向けられて、プリント配線板４１に形成されている位置決め孔４６にボス４５が挿通される。また、プリント配線板４１が各挟持爪４３の係合部４４に当接され、その状態からプリント配線板４１がトップカバー１８に向けて押圧される。この押圧力により、各挟持爪４３が外側に開くように（係合部４４が取付位置側と反対側に変位するように）弾性変形する。そして、プリント配線板４１が各挟持爪４３の係合部４４を越えると、各挟持爪４３が復元し、各挟持爪４３の係合部４４がプリント配線板４１の他方面側に回り込む。また、プリント配線板４１の一方面がトップカバー１８の裏面に形成されたリブ４７に当接する。これにより、プリント配線板４１が各係合部４４とリブ４７とに挟持されて、パネル基板３１がトップカバー１８に取り付けられる。
【００２９】
電子部品４２には、表示器２８に情報を表示するＬＥＤ（Light Emitting Diode：発光ダイオード）やＬＣＤ(Liquid Crystal Display：液晶表示器)、操作ボタン２７が操作されたことを検出するスイッチ、これらを制御するＩＣ（Integrated Circuit：集積回路）などが含まれる。
【００３０】
また、プリント配線板４１の一方面には、コネクタ（図示せず）が設けられている。コネクタは、プリント配線板４１の配線と電気的に接続されている。コネクタには、ＦＦＣ（Flexible Flat Cable：フレキシブルフラットケーブル）からなる第１ケーブル４８の一端が接続されている。
【００３１】
＜ＮＦＣ基板＞
ＮＦＣ基板３２は、ＮＦＣ部２６と上下に重なる位置であって、パネル基板３１に対して後方に離間した位置に配置されている。ＮＦＣ基板３２は、アンテナ部５１と、アンテナ部５１と一体に形成されたプリント配線板５２と、プリント配線板５２の一方面に実装された電子部品であるＮＦＣ用のＩＣチップ５３とを備えている。
【００３２】
アンテナ部５１は、略四角環状の板状をなし、図２に示されるように、非接触型のＩＣカードとの間でのＮＦＣによる無線通信のためのループ状のアンテナ５１Ａを内蔵している。
【００３３】
プリント配線板５２は、絶縁性樹脂からなる基板の表面または内部に導電体からなる配線が形成された部品である。アンテナ部５１のアンテナ５１Ａは、プリント配線板５２の配線と電気的に接続されている。プリント配線板５２は、図４に示されるように、ＩＣチップ５３が実装された一方面と反対側の他方面をトップカバー１８に向けて、前後方向および左右方向に延びるように、トップカバー１８の裏面（内面）に取り付けられている。
【００３４】
具体的には、トップカバー１８の裏面には、ＮＦＣ基板３２の取付位置が設定されており、その取付位置の周囲には、複数の挟持爪５４が設けられている。各挟持爪５４は、トップカバー１８と一体に形成されている。１つの挟持爪５４は、図５に示されるように、ＮＦＣ基板３２の取付位置の後側に配置され、トップカバー１８の裏面からその裏面に対して垂直に延び、先端部に取付位置側に突出する楔状（延出方向に先細りとなる略三角柱状）の係合部５５を有している。別の１つの挟持爪５４は、トップカバー１８の裏面からその裏面に対して垂直に延び、途中で下方に湾曲して延びる略Ｕ字状をなし、その先端部に取付位置側に突出する楔状の係合部５５を有している。また、取付位置には、トップカバー１８の裏面から垂直に延びる柱状のボス５６が設けられている。
【００３５】
ＮＦＣ基板３２がトップカバー１８に取り付けられる際には、プリント配線板５２の他方面がトップカバー１８側に向けられて、プリント配線板５２に形成されている位置決め孔５７にボス５６が挿通される。また、プリント配線板５２が各挟持爪５４の係合部５５に当接され、その状態からプリント配線板５２がトップカバー１８に向けて押圧される。この押圧力により、各挟持爪５４の係合部５５が取付位置側と反対側に変位するように、各挟持爪５４が弾性変形する。そして、プリント配線板５２が各挟持爪５４の係合部５５を越えると、各挟持爪５４が復元し、各挟持爪５４の係合部５５がプリント配線板５２の一方面側に回り込む。また、プリント配線板５２の一方面がトップカバー１８の裏面に形成されたリブ５８に当接する。これにより、プリント配線板５２が各係合部５５とリブ５８とに挟持されて、ＮＦＣ基板３２がトップカバー１８に取り付けられる。
【００３６】
また、プリント配線板５２の一方面には、コネクタ（図示せず）が設けられている。コネクタは、プリント配線板５２の配線と電気的に接続されている。コネクタには、図４に示されるように、ＦＦＣからなる第２ケーブル５９の一端が接続されている。
【００３７】
＜中継基板＞
中継基板３３は、図２に示されるように、パネル基板３１とＮＦＣ基板３２との間に配置されている。中継基板３３は、基体６１と、基体６１の一方面に設けられた複数の端子６２（実装部品の一例）とを備え、ノイズ源となる電子部品を備えていない。
【００３８】
基体６１は、絶縁性樹脂からなる板状をなし、内部に導電体からなる配線が形成された部品である。基体６１は、端子６２が設けられている一方面の反対側の他方面を第１フレーム１４の上端面に向けて、前後方向および左右方向に延びるように、第１フレーム１４の上端面にボルト６３で取り付けられている。
【００３９】
複数の端子６２は、基体６１の左端部に前後方向に並べて配置されている。各端子６２は、基体６１の配線と電気的に接続されている。また、各端子６２には、図２および図６に示されるように、ビニル絶縁電線６４が接続される。ビニル絶縁電線６４は、たとえば、プリンタ１に設けられた複数のセンサのそれぞれから延びる信号線である。ビニル絶縁電線６４は、図３および図６に示されるように、各センサから第１フレーム１４の左側面に引き出され、その左側面から第１フレーム１４の上端面に回り込んで、端子６２に左側から接続されている。
【００４０】
また、基体６１には、コネクタ（図示せず）が設けられている。コネクタは、基体６１の配線と電気的に接続されている。コネクタには、ＦＦＣからなる第３ケーブル６５の一端が接続されている。
【００４１】
＜メイン基板＞
メイン基板３４は、第１フレーム１４の左側面の後部に配置されている。メイン基板３４は、プリント配線板７１と、プリント配線板７１の一方面に実装された複数の電子部品７２とを備えている。
【００４２】
プリント配線板７１は、絶縁性樹脂からなる基板の表面または内部に導電体からなる配線が形成された部品である。プリント配線板７１は、電子部品７２が実装された一方面と反対側の他方面を第１フレーム１４に向けて、前後方向および上下方向に延びるように、第１フレーム１４の左側面に複数のボルト７３で取り付けられている。
【００４３】
また、プリント配線板７１の一方面には、コネクタ７４，７５，７６が設けられている。コネクタ７４，７５，７６には、それぞれ第１ケーブル４８、第２ケーブル５９および第３ケーブル６５が接続される。
【００４４】
＜ケーブルの引き回し＞
第１ケーブル４８は、図４に示されるように、一端がパネル基板３１に設けられたコネクタに接続され、パネル基板３１からトップカバー１８の裏面に沿って後方に延びている。
【００４５】
トップカバー１８の裏面には、パネル基板３１の装着位置から前方に離間した位置に、ケーブル保持部８１が一体に形成されている。ケーブル保持部８１は、トップカバー１８の裏面から下方に延び、右側に屈曲して右方に延びている。また、トップカバー１８の裏面の左後端部には、ケーブルゲート８２が設けられている。ケーブルゲート８２は、トップカバー１８の裏面との間に隙間を空けて前後方向に延びる本体部８３と、本体部８３の両端部からトップカバー１８に向けて延びる脚部８４を有している。各脚部８４は、トップカバー１８の裏面に固定されている。
【００４６】
パネル基板３１から後方に延びる第１ケーブル４８は、トップカバー１８の裏面とケーブル保持部８１との間を通され、ＮＦＣ基板３２の下側を経由して、ケーブルゲート８２の右側の位置で左側に折り曲げられ、トップカバー１８の裏面とケーブルゲート８２との間を通されて、ケーブルゲート８２の左側に引き出されている。そして、第１ケーブル４８は、ケーブルゲート８２の左側の位置で下側に折り曲げられ、その先端（他端）がメイン基板３４に設けられたコネクタ７４に接続されている。
【００４７】
第２ケーブル５９は、一端がＮＦＣ基板３２に設けられたコネクタに接続され、ＮＦＣ基板３２からトップカバー１８の裏面に沿って後方に延び、ケーブルゲート８２の右側の位置で左側に折り曲げられている。そして、第２ケーブル５９は、トップカバー１８の裏面とケーブルゲート８２との間を通されて、ケーブルゲート８２の左側に引き出され、ケーブルゲート８２の左側の位置で下側に折り曲げられて、その先端（他端）がメイン基板３４に設けられたコネクタ７５に接続されている。
【００４８】
第３ケーブル６５は、図２に示されるように、一端が中継基板３３に設けられたコネクタに接続され、中継基板３３から第１フレーム１４の上端面に沿って後方に延びている。そして、第３ケーブル６５は、ＮＦＣ基板３２の下側を経由して、ＮＦＣ基板３２を前側に越え、第１ケーブル４８および第２ケーブル５９が左側に折り曲げられた部分よりも前側の位置で左側に折り曲げられて左方に延び、第１フレーム１４の左側面を左側に越えた位置で下側に折り曲げられて、その先端（他端）がメイン基板３４に設けられたコネクタ７６に接続されている。
【００４９】
第１フレーム１４の左側面には、図６に示されるように、後端部と後端部から前側に間隔を空けた部分とに、それぞれ当て面９１，９２が形成されている。当て面９１，９２は、メイン基板３４の左右方向の位置よりも左側の位置、具体的には、メイン基板３４のプリント配線板７１の左右方向の位置より少なくともメイン基板３４に実装されている最も背の高い電子部品７２の高さ以上に左側の位置において、前後方向および上下方向に延びる平面として形成されている。当て面９１，９２には、第１側板１２の内面が当接され、これにより、第１側板１２と第１フレーム１４との間に一定間隔の空間が形成される。
【００５０】
第１ケーブル４８、第２ケーブル５９および第３ケーブル６５は、後側の当て面９１と前側の当て面９２との間を下方に延びており、その下方に延びる部分は、当て面９１，９２の左右方向の位置よりも右側に位置している。これにより、第１フレーム１４の左側に第１側板１２が組み付けられる際に、第１側板１２と第１フレーム１４との間に第１ケーブル４８、第２ケーブル５９および第３ケーブル６５が挟まれることが抑制されるので、組み付け作業性を向上することができる。
【００５１】
＜ビニル絶縁電線の引き回し＞
複数のビニル絶縁電線６４は、図３および図６に示されるように、第１フレーム１４の左側面を引き回されて、第１フレーム１４の上端を越えて、中継基板３３に設けられた各端子６２に接続されている。
【００５２】
第１フレーム１４の左側面には、第１引掛部１０１、第２引掛部１０２、第３引掛部１０３、第４引掛部１０４、第５引掛部１０５および電線保持部１０６が設けられている。
【００５３】
第１フレーム１４の左側面の前端部には、第１プレート１０７がボルト１０８で固定されている。第１引掛部１０１は、図６に示されるように、第１プレート１０７の前端部に第１プレート１０７と一体に形成され、第１フレーム１４の左側面における前端部かつ上寄りの位置に位置している。第１引掛部１０１は、第１プレート１０７から左方に突出し、下側に屈曲して下方に延びている。
【００５４】
第２引掛部１０２は、第１引掛部１０１に対して後側に離間した位置に、第１プレート１０７と一体に形成されている。第２引掛部１０２は、第１プレート１０７から左方に突出し、上側に屈曲して上方に延びている。
【００５５】
第３引掛部１０３は、第２引掛部１０２に対して後下側に離間した位置に、第１プレート１０７と一体に形成されている。第３引掛部１０３は、第１プレート１０７から左方に延出している。
【００５６】
第１フレーム１４の左側面の前後方向の中央部には、第２プレート１０９がボルト１１０で固定されている。第４引掛部１０４は、第２プレート１０９の上端部であって、第２引掛部１０２に対して後上側に離間した位置に、第２プレート１０９と一体に形成されている。第４引掛部１０４は、第２プレート１０９から左方に突出し、上側に屈曲して上方に延びている。
【００５７】
第５引掛部１０５は、第４引掛部１０４に対して後下側に離間した位置に、第２プレート１０９と一体に形成されている。第５引掛部１０５は、第２プレート１０９から左方に突出し、下側に屈曲して下方に延びている。
【００５８】
電線保持部１０６は、第４引掛部１０４および第５引掛部１０５の下側に離間した位置に、第２プレート１０９と一体に形成されている。電線保持部１０６は、前後方向に互いに間隔を空けてそれぞれ第２プレート１０９から左方に突出する２つの脚部１１１と、２つの脚部１１１の先端部間に架設されて、前後方向に延びる架設部１１２とを有している。
【００５９】
２本のビニル絶縁電線６４は、第１フレーム１４の左側に引き出され、第１引掛部１０１および第２引掛部１０２の右側を通されて、電線保持部１０６に向けて延びている。他の２本のビニル絶縁電線６４は、第１フレーム１４の左側に引き出され、第３引掛部１０３の下側を通されて、電線保持部１０６に向けて延びている。そして、第２引掛部１０２を経由する２本のビニル絶縁電線６４と第３引掛部１０３を経由する２本のビニル絶縁電線６４とは、電線保持部１０６の前側の位置で束ねられる。４本のビニル絶縁電線６４の束の途中部分は、上側に開いた略Ｕ字状に湾曲されて、電線保持部１０６の右側に上側から差し入れられている。また、４本のビニル絶縁電線６４は、電線保持部１０６から第４引掛部１０４および第５引掛部１０５にこの順に引っ掛けられ、第５引掛部１０５から中継基板３３の端子６２に向けて後上方に延びて、それぞれ端子６２に接続されている。
【００６０】
ビニル絶縁電線６４に余長を持たせることにより、ビニル絶縁電線６４の引き回しおよび端子６２への接続を容易にすることができる。そして、ビニル絶縁電線６４の途中部分を略Ｕ字状に湾曲させて電線保持部１０６の右側に差し入れることにより、ビニル絶縁電線６４の余長を吸収することができる。そのため、ビニル絶縁電線６４が余長を有していても、ビニル絶縁電線６４が弛むことを抑制でき、第１フレーム１４の左側に第１側板１２が組み付けられる際に、ビニル絶縁電線６４が第１側板１２と第１フレーム１４との間に挟まれることを抑制できる。その結果、組み付け作業性を向上することができる。
【００６１】
＜作用効果＞
以上のように、筐体１１の第１フレーム１４および第２フレーム１５は、互いに間隔を空けて配置されている。第１フレーム１４と第２フレーム１５との間には、シートに画像を形成する画像形成部２４が配置されている。
【００６２】
第１フレーム１４と第１フレーム１４の上端面を覆うトップカバー１８とに挟まれる位置に、パネル基板３１、ＮＦＣ基板３２および中継基板３３が配置されている。そして、中継基板３３は、ＮＦＣ基板３２とパネル基板３１とに挟まれる位置に配置されている。そのため、ＮＦＣ基板３２とパネル基板３１とが近づけて配置されても、パネル基板３１に設けられた電子部品から発生するノイズが中継基板３３に遮られ、ノイズがＮＦＣ基板３２に設けられたアンテナ５１Ａに達することを抑制でき、ＮＦＣ基板３２による無線通信がノイズの影響を受けることを抑制できる。よって、ＮＦＣ基板３２とパネル基板３１とが近づけて配置されることによるＮＦＣ基板３２の通信性能の低下を抑制できる。
【００６３】
中継基板３３は、第１フレーム１４に取り付けられ、ＮＦＣ基板３２およびパネル基板３１は、トップカバー１８の内面に取り付けられている。ＮＦＣ基板３２およびパネル基板３１をトップカバー１８の内面に取り付けることにより、トップカバー１８の外面からＮＦＣ基板３２およびパネル基板３１までの距離を短くすることができる。その結果、ＮＦＣ基板３２については、無線通信する相手との距離が短くなるため通信が安定する効果がある。パネル基板３１については、トップカバー１８の外面に近い位置に情報を表示するための電子部品４２を配置できるため表示される情報が見やすいという効果がある。
【００６４】
中継基板３３が第１フレーム１４に取り付けられることにより、組み立て時には、ＮＦＣ基板３２とパネル基板３１の間に中継基板３３が収まる隙間ができ、中継基板３３の周囲にはＮＦＣ基板３２とパネル基板３１が収まる隙間ができることになる。そのため、組立作業がしやすい。
【００６５】
中継基板３３は、絶縁性樹脂からなる基体６１上に端子６２が配置された構成を有し、ノイズ源となる電子部品を備えていない。ＮＦＣ基板３２とパネル基板３１の間にノイズ源となる電子部品を備えていない中継基板３３が配置されることにより、効果的にノイズを遮断できる。
【００６６】
中継基板３３の端子６２に接続されるビニル絶縁電線６４に余長を持たせると、ビニル絶縁電線６４の引き回しおよび端子６２への接続を容易にすることができるが、ビニル絶縁電線６４が弛んで、第１フレーム１４の左側に第１側板１２が組み付けられる際に、ビニル絶縁電線６４が第１側板１２と第１フレーム１４との間に挟まれる問題が生じることがある。ビニル絶縁電線６４の途中部分が略Ｕ字状に湾曲させて電線保持部１０６の右側に差し入れることにより、ビニル絶縁電線６４の余長を吸収することができる。そのため、ビニル絶縁電線６４が余長を有していても、ビニル絶縁電線６４が弛むことを抑制でき、第１フレーム１４の左側に第１側板１２が組み付けられる際に、ビニル絶縁電線６４が第１側板１２と第１フレーム１４との間に挟まれることを抑制できる。
【００６７】
＜変形例＞
以上、本発明の一実施形態について説明したが、本発明は、他の形態で実施することもできる。
【００６８】
たとえば、前述の実施形態では、画像形成装置の一例としてプリンタ１を取り上げたが、本発明が適用される画像形成装置は、単機能のプリンタ１に限らず、画像形成機能および画像読取機能を有するファクシミリ装置や複合機であってもよい。
【００６９】
その他、前述の構成には、特許請求の範囲に記載された事項の範囲で種々の設計変更を施すことが可能である。
【符号の説明】
【００７０】
１：プリンタ
１１：筐体
１２：第１側板
１４：第１フレーム
１５：第２フレーム
１８：トップカバー
２４：画像形成部
３１：パネル基板
３２：ＮＦＣ基板
３３：中継基板
３４：メイン基板
４２：電子部品
５１：アンテナ部
５１Ａ：アンテナ
６１：基体
６２：端子
６４：ビニル絶縁電線
１０６：電線保持部
【図１】
2018194661.tif 000003
【図２】
2018194661.tif 000004
【図３】
2018194661.tif 000005
【図４】
2018194661.tif 000006
【図５】
2018194661.tif 000007
【図６】
2018194661.tif 000008